(57)【要約】市場内の２つ以上の製品のパフォーマンスを評価する技術を開示する。好適な実施形態において、市場を規定するステップと、市場内に存在する２つ以上の競合製品を同定するステップとを含む方法を提示する。次に、市場内でなされる固有製品の選択決定の回数を決定する。次に、市場内で製品ごとになされる固有製品の選択決定の回数を決定する。最後に、パフォーマンスメトリックを、市場内でなされる固有製品の選択決定の総数との関連で、市場内で製品ごとになされる固有製品の選択決定の割合を計算することによって生成する。
2010521023.tif 000002
【特許請求の範囲】
【請求項１】
市場内の２つ以上の製品のパフォーマンスを評価する方法であって、
（a）市場を規定するステップと、
（b）前記市場内に存在する２つ以上の競合製品を同定するステップと、
（c）前記市場内でなされる固有製品の選択決定の回数を決定するステップと、
（d）前記市場内で前記製品ごとになされる固有製品の選択決定の回数を決定するステップと、
（e）前記市場内でなされる固有製品の選択決定の総数との関連で、前記市場内で前記製品ごとになされる固有製品の選択決定の割合を算出するステップと、
を含む、市場内の２つ以上の製品のパフォーマンス評価方法。
【請求項２】
前記製品は処方調合薬から成り、
前記固有製品の選択決定は調合薬の処方から成る、請求項１に記載の方法。
【請求項３】
前記市場内でなされる固有製品の選択決定の回数を決定するステップは、
（f）前記市場に入った顧客数を決定するステップと、
（g）すでに前記市場に入っているが、彼らの購入品に他の製品を加えた顧客数を決定するステップと、
（h）前記ステップ（g）で決定される顧客数に、前記ステップ（f）で決定される顧客数を加えるステップと、
を含む、請求項１に記載の方法。
【請求項４】
前記市場に入った顧客数は「新たな治療の開始」者を含み、
前記他の製品を加えた顧客数は「追加の治療」者を含む、請求項３に記載の方法。
【請求項５】
前記市場内で前記製品ごとになされる固有製品の選択決定の回数を決定するステップは、
（i）前記市場に入っていて製品を選択した顧客数を決定するステップと、
（j）すでに前記市場に入っているが、彼らの購入品に前記製品を加えた顧客数を決定するステップと、
（k）前記市場で異なる製品を購入することを止めて、代替品として当該製品を購入し始めた顧客数を決定することにより、製品に対する正味の変更回数を算出するステップと、
（l）前記市場に入っていて製品を選択した顧客数と、すでに前記市場に入っているが彼らの購入品に前記製品を加えた顧客数と、前記製品に対する正味の変更回数とを合計するステップと、
を含む、請求項１に記載の方法。
【請求項６】
前記市場内で製品ごとになさる固有製品の選択決定の回数を決定するステップは、
（m）前記市場に入っていて製品を選択した顧客数を決定するステップと、
（n）すでに前記市場に入っているが、彼らの購入品に前記製品を加えた顧客数を決定するステップと、
（o）前記製品を購入することを止めて、代替品として他の製品を購入し始めた顧客数を決定するステップと、
（p）前記市場で異なる製品を購入するのを止めて、代替品として当該製品を購入し始めた顧客数を決定するステップと、
（q）前記市場で異なる製品を購入することを止めて、代替品として当該製品を購入し始めた顧客数から、前記製品を購入することを止めて、代替品として他の製品を購入し始めた顧客数を差し引くことによって、製品に対する正味の変更回数を算出するステップと、
（r）前記市場に入っていて前記製品を選択した顧客数と、すでに前記市場に入っているが、彼らの購入品に前記製品を加えた顧客数と、前記製品に対する正味の変更回数とを合計するステップと、
を含む、請求項１に記載の方法。
【請求項７】
前記市場に入っていて前記製品を選択した顧客数は、当該製品に対する「新たな治療の開始」者を含み、
前記市場にすでに入っているが、彼らの購入品に前記製品を加えた顧客数は、前記製品に対する「追加の治療」者を含み、
前記製品に対する正味の変更回数は、当該製品に対する「正味の変更治療」者を含む、請求項５に記載の方法。
【請求項８】
前記市場に入っていて前記製品を選択した顧客数は、当該製品に対する「新たな治療の開始」者を含み、
前記市場にすでに入っているが、彼らの購入品に前記製品を加えた顧客数は、前記製品に対する「追加の治療」者を含み、
前記製品に対する正味の変更回数は、当該製品に対する「正味の変更治療」者を含む、請求項６に記載の方法。
【請求項９】
前記顧客は患者を含み、
前記患者の各々は患者のタイプに分類され、
前記患者のタイプは、「市場に対する単剤治療の新規」、「単剤治療の継続」、「単剤治療の変更」、「市場対する併剤治療の新規」、「併剤治療の継続」、「併剤治療の追加」、又は「併剤治療の変更」からなるグループから選択される、請求項７に記載の方法。
【請求項１０】
前記顧客は患者を含み、
前記患者の各々は患者のタイプに分類され、
前記患者のタイプは、「市場に対する単剤治療の新規」、「単剤治療の継続」、「単剤治療の変更」、「市場対する併剤治療の新規」、「併剤治療の継続」、「併剤治療の追加」、又は「併剤治療の変更」からなるグループから選択される、請求項８に記載の方法。
【請求項１１】
市場内の２つ以上の製品のパフォーマンスを評価するシステムであって、
プロセッサと、データ入力装置と、前記プロセッサに動作可能なように結合されるメモリとを備え、
前記メモリは命令を含み、これらの前記命令は前記プロセッサによってアクセスされると、前記プロセッサに、
（a）市場を規定するデータを受信させ、
（b）前記市場内に存在する２つ以上の競合製品を同定するデータを受信させ、
（c）前記市場内でなされる固有製品の選択決定の回数を決定させ、
（d）前記市場内で前記製品ごとになされる固有製品の選択決定の回数を決定させ、
（e）前記市場内でなされる固有製品の選択決定の総数との関連で、前記市場内で前記製品ごとになされる固有製品の選択決定の割合を算出させる、
ようにした、市場内の２つ以上の製品のパフォーマンス評価システム。
【請求項１２】
前記製品は処方調合薬から成り、
前記固有の製品の選択決定は調合薬の処方からなる、請求項１１に記載のシステム。
【請求項１３】
前記プロセッサに前記市場内でなされる固有製品の選択決定の回数を決定させる命令は、前記プロセッサに
（f）前記市場に入った顧客数を決定させ、
（g）すでに前記市場に入っているが彼らの購入品に他の製品を加えた顧客数を決定させ、
（h）前記ステップ（g）で決定される顧客数に、前記ステップ（f）で決定される顧客数を加えさせる、
ことを命令することを含む、請求項１１に記載のシステム。
【請求項１４】
前記市場に入った顧客数は、「新たな治療の開始」者を含み、
前記他の製品を加えた顧客数は、「追加の治療」者を含む、請求項１３に記載の方法。
【請求項１５】
前記プロセッサに前記市場内で前記製品ごとになされる固有製品の選択決定の回数を決定させる命令は、前記プロセッサに、
（i）前記市場に入っていて製品を選択した顧客数を決定させ、
（j）すでに前記市場に入っているが、彼らの購入品に前記製品を加えた顧客数を決定させ、
（k）前記市場で異なる製品を購入することを止めて、代替品としての当該製品を購入し始めた顧客数を決定することにより、製品に対する正味の変更回数を算出させ、
（l）前記市場に入っていて製品を選択した顧客数と、すでに前記市場に入っているが、彼らの購入品に前記製品を加えた顧客数と、前記製品に対する正味の変更回数とを合計させる、
ようにした、請求項１１に記載のシステム。
【請求項１６】
前記プロセッサに前記市場内で製品ごとになされた固有製品の選択決定の回数を決定させる命令は、前記プロセッサに、
（m）前記市場に入っていて製品を選択した顧客数を決定させ、
（n）すでに前記市場に入っているが、彼らの購入品に前記製品を加えた顧客数を決定させ、
（o）前記製品を購入することを止めて、代替品として他の製品を購入し始めた顧客数を決定させ、
（p）前記市場で異なる製品を購入するのを止めて、代替品として当該製品を購入し始めた顧客数を決定させ、
（q）前記市場で異なる製品を購入することを止めて、代替品として当該製品を購入し始めた顧客数から、前記製品を購入することを止めて、代替品として他の製品を購入し始めた顧客数を差し引くことによって、製品に対する正味の変更回数を算出させ、
（r）前記市場に入っていて製品を選択した顧客数と、すでに前記市場に入っているが、彼らの購入品に前記製品を加えた顧客数と、前記製品に対する正味の変更回数とを合計させる、
ようにした、請求項１１に記載のシステム。
【請求項１７】
前記市場に入っていて製品を選択した顧客数は、当該製品に対する「新たな治療の開始」者を含み、
前記市場にすでに入っているが、彼らの購入品に前記製品を加えた顧客数は、前記製品に対する「追加の治療」者を含み、
前記製品に対する正味の変更回数は、当該製品に対する「正味の変更治療」者を含む、請求項１５に記載のシステム。
【請求項１８】
前記市場に入っていて前記製品を選択した顧客数は、当該製品に対する「新たな治療の開始」者を含み、
前記市場にすでに入っているが、彼らの購入品に前記製品を加えた顧客数は、前記製品に対する「追加の治療」者を含み、
前記製品に対する正味の変更回数は、当該製品に対する「正味の変更治療」者を含む、請求項１６に記載のシステム。
【請求項１９】
前記顧客は患者を含み、
前記命令は前記プロセッサに各患者を患者のタイプに分類させ、
前記患者のタイプは、「市場に対する単剤治療の新規」、「単剤治療の継続」、「単剤治療の変更」、「市場対する併剤治療の新規」、「併剤治療の継続」、「併剤治療の追加」、又は「併剤治療の変更」からなるグループから選択される、請求項１７に記載のシステム。
【請求項２０】
前記顧客は患者を含み、
前記命令は前記プロセッサに各患者を患者のタイプに分類させ、
前記患者のタイプは、「市場に対する単剤治療の新規」、「単剤治療の継続」、「単剤治療の変更」、「市場対する併剤治療の新規」、「併剤治療の継続」、「併剤治療の追加」、又は「併剤治療の変更」からなるグループから選択される、請求項１８に記載のシステム。
【発明の詳細な説明】
【関連出願に対する相互参照】
【０００１】
本出願は、２００６年２月２４日に出願された「Dynamic Capture Rate Performance Metric」と題する米国の暫定的な出願第６０／７７６，７１０号から優先権を主張するものであり、その全内容は参照により援用される。
【技術分野】
【０００２】
本発明は、市場における２つ以上の製品のパフォーマンスを決定するための技術に関し、より詳しくは、処方薬薬市場における２つ以上の、薬のブランドのパフォーマンスを決定するための技術に関する。
【背景技術】
【０００３】
健康管理産業の製薬会社などは、どこに広告費用を費やすべきか、どの分野に研究開発資金を割り当てるか、異なるブランドにどのような価格をつけるか、そして将来の需要に応えるのに必要な生産能力を決定するために、市場における種々の薬ブランドのパフォーマンスを追跡している。現在では、薬局で調合される特定のブランドに対する処方の総数を査定する処方調剤合計（「ＴＲｘ」）や、新規の処方薬剤のみで、再調合されないものを査定する新規処方調剤合計（「ＮＲｘ」）のような指標が、処方薬の薬市場のさまざまなブランドのパフォーマンスメトリックとして用いられている。
【発明の概要】
【発明が解決しようとする課題】
【０００４】
しかしながら、ＴＲｘは追跡指標（trailing indicator）であって、ユーザが効果をすでに感じた後にしか、傾向を同定することができないことがよくあり、その時点では、会社がその傾向に応えて効果的にそのビヘイビアを変えるには遅すぎるかもしれない。一方、ＮＲｘは先行指標（leading indicator）であるが、当てにならないかもしれず、多くのリードタイムを提供しない。したがって、ブランドパフォーマンスに対する先行指標として作用して、近い将来における製品のパフォーマンスを正確に評価することを可能にする、費用効率が高くて、信頼でき、容易に実施し得るメトリックが必要とされる。
【０００５】
本発明の目的は、特定の市場の処方薬のパフォーマンスに対する先行指標としてだけでなく、将来のＴＲｘパフォーマンスの予測子としての役割も果たす処方薬のパフォーマンスメトリックを実施するための技術を提供することにある。
【課題を解決するための手段】
【０００６】
上記目的及び本願明細書における開示を参照して明らかとなる他の目的を満たすために、本発明は、市場における２つ以上の製品のパフォーマンスを評価するため技術を提供する。いくつかの実施形態において、本発明は４つのステップを含む方法を提供する。最初に、市場及び市場内で競合している製品を規定する。次に、市場内でなされる固有処方の決定回数を決定する。市場レベルで、これらは、「新たな治療の開始」者及び「治療の追加」者を含む。次に、市場内で各ブランドを処方するためになされる固有処方の決定回数を決定する。個々の薬レベルで、これらは、「新たな治療の開始」者、「治療の追加」者、及び「正味の（net）変更治療」者を含む。新しく発売された薬に対して、「正味の変更治療」者は、その薬に変更した患者数を決定することにより算出されるが、一方で、市場であった薬に対しては、その薬に変更した患者から新薬に変更した患者を差し引くことによって、算出される。最後に、各薬に対する固有処方の決定の割合を市場内での固有処方の決定総数から算出する。
【０００７】
本方法は、ブランドパフォーマンスの優れた先行指標及び予測指標の双方に対する産業ニーズに対処する。すでに利用できる時系列処方データ（ＬＲｘ）の操作により、ユーザは処方の総数が多大な影響を及ぼす前に、調合される処方数の傾向を同定することができる。これにより、消極的な傾向に速く対応し、今後の要求のためにより良い計画を立てることができる。
【０００８】
本開示に組み込まれてその一部を構成する添付の図面は、本発明の好適な実施例を例示し、本発明の原理を説明するのに役立つものである。
【図面の簡単な説明】
【０００９】
【図１】本発明による例示システム及び方法の機能図である。
【図２】図１のシステムで行うことができる方法の一例を示すフロー図である。
【図３】図２において、市場内でなされる固有製品の選択決定の回数を決定するのに好適な方法を示すフロー図である。
【図４】図２において市場内で製品ごとになされる固有製品の選択決定の回数を決定するのに好適な方法を示すフロー図である。
【図５】図２において市場内で製品ごとになされる固有製品の選択決定の回数を決定する代わりの方法を示すフロー図である。
【００１０】
本発明を、図面を参照して詳細に説明するも、例示の実施形態について記述するだけである。
【発明を実施するための形態】
【００１１】
図１を参照して、本発明の好適な実施形態を、手動又はコンピュータ１１０、メモリ１２０、プロセッサ１３０及びデータ入力装置１４０を有するコンピュータを含むシステム１００上で実行し得る方法について説明する。例示実施形態において、システム１００は、メモリ１２０に格納されたＳＡＳソフトウェアを使用するＵＮＩＸ（登録商標）コンピュータ・プラットフォームを含む。コンピュータ１１０はＰＣであるが、これは慣例の任意形態のコンピュータであってもよい。メモリ１２０はハードドライブであるが、アクセ可能な任意形態のデータ記憶装置とすることができ、また、プロセッサ１３０も慣例の任意のタイプのプロセッサであってもよい。データ入力装置１４０は、キーボードであるが、これもマウス、光学式文字読取り装置、又は電子媒体受信用のインターネット接続のような他のデータ入力装置を含むことができる。本発明をこの例示実施形態につき説明するが、本発明はこのような実施形態以外によっても実施し得ることは当業者に明らかである。
【００１２】
図２を参照して、市場における２つ以上の製品のパフォーマンスを評価する方法を説明する。ステップ２１０では、通常、処方調合薬によって治療される、同一の疾患を患っている固体集団から成る市場を定められなければならない。次のステップ２２０では、市場にて競合する製品を同定する。これらの製品は、通常、同じ病気を治療する処方調合薬である。
【００１３】
この分析を促進するために、患者は、「市場に対する単剤治療の新規」、「単剤治療の継続」、「単剤治療の変更」、「市場に対する併剤治療の新規」、「併剤治療の継続」、「併剤治療の追加」、「併剤治療の変更」という、７つの別々のグループに分類することができる。各グループの判断基準は以下の通りである。
【００１４】
「単剤治療の新規」グループは、興味のある単一製品で治療を開始するも、前に市場治療（market therapy）を受け入れたことのない患者を含む。このグループの患者は、今月中に１つの製品が調合されただけであり、前の１２ヵ月以内には市場の製品は調合されたことがない人達である。
【００１５】
「単剤治療の継続」グループは、以前に調剤されたのと同じ単一製品が調剤され続ける患者を含む。このグループの患者は、今月中に１つの製品が調合されただけであり、前の１２ヵ月以内に調剤された最初の前の製品は今月の製品と同じ製品であり、最初の前の製品より前に調剤された、いずれの異なるどの製品も、最初の前の製品とはいずれの日においても重なることはない製品である。最初の前の製品が、今月の製品と重なるか、又は重なら量は任意とすることができる。このことは、このグループに含まれる患者が、治療の間隔をおいて同じ単剤治療を再開することを許す。
【００１６】
あるいは、今月中に市場治療がなく、最初の前の治療が少なくとも７日間だけ今月に重なる単剤治療（前の月に調剤された、たった１つの製品）であり、最初の前の製品よりも前に調剤された、異なるどの製品も、最初の前の製品とはいずれの日においても重なるものではなかった場合に、その患者は「単剤治療の継続」グループに含まれる。
【００１７】
「単剤治療の変更」グループは、治療を１つ以上の製品から単一製品に変更する患者を含む。このグループの患者は、今月中と、前の１２ヶ月以内における最初の前の製品に対する処方の終了時に１つの製品のみが調剤されただけであり、この最初の前の製品との他のいずいれかの併剤治療は、今月の処方の開始の前に少なくとも１日の間隔を空けるようにする。患者は、１つ以上の製品に対する処方の終了時と今月の製品に対する処方の開始時との間に、少なくとも１日の間隔がある限り、１つ以上の製品から単剤治療に変更することができる。
【００１８】
あるいは、今月中に市場治療がなく、最初の前の治療における１つの製品のみが、少なくとも７日間だけ今月と重なり、最初の前の治療とその前に調合された１つ以上の処方との間に間隔がない場合には、その患者は「単剤治療の変更」グループに含まれる。前の処方計画の少なくとも１つの製品は、現在の治療用のものとは異なるものでなければならない。
【００１９】
「併剤治療の新規」グループは、２つ以上の製品で治療を始め、以前に市場製品を受け取ったことのない患者を含む。このグループの患者は、今月中に２つ以上の製品が調剤されて、前の１２ヵ月以内には市場製品は調剤されたことがない人達である。
【００２０】
「併剤治療の継続」グループは、以前に調剤された２つ以上の製品の同じ組合せのままである患者を含む。２つ以上の製品は今月中に患者に調剤され、最初の前の治療製品は今月中におけるのと同じ製品から成る。ここで、最初の前の治療製品は、今月の初日の直前に調合された処方薬に加え、少なくとも１日それに重なる他のいずれかの製品を含む。最初の前の併用製品が、今月の治療の製品と重なるか、又は重ならない量は任意とすることができる。したがって、このカテゴリは、治療の間隔をおいて、に同じ併剤治療を再開する患者を含むことができる。
【００２１】
あるいは、今月中に患者に調剤される少なくとも１つの製品があり、現在の治療の一部である製品の全ても、最初の前の併剤治療（すなわち、一番最近の前の治療及びそれとのいずれもの併剤治療）の一部でもあり、今月中に調合されなかった全ての前の治療は少なくとも１日今月の最初の処方と重なる場合には、その患者は「併剤治療の継続」グループに含まれる。
【００２２】
また、あるいは、今月に市場治療がなく、最初の前の治療が少なくとも７日間まで今月と重なる併剤治療（前の月に調剤された複数の製品）である場合には、その患者は「併剤治療の継続」グループに含まれる。
【００２３】
「併剤治療の追加」グループは、少なくとも１つの現在の製品を、併剤治療をもたらすことになる前の治療に加える患者を含む。１つ以上の製品は今月中に患者に調剤され、最初の前の処方（前の１２ヵ月以内）と、この最初の前の処方製品との他の併剤治療は、今月の製品の処方と少なくとも１日だけ重なる。このグループは、１つの製品に１つの製品、２つの製品に１つの製品、１つの製品に２つの製品を加えるといったような患者を含む。
【００２４】
言い換えれば、患者の前の処方計画（ここで、前の処方計画は、最近の前の製品及びそれと併用する製品を含む）の全ての製品が、患者の現在の処方計画の製品でもあり、患者が前の処方計画にはない現在の処方計画における少なくとも１つの製品を有する場合には、その患者は「併剤治療の追加」グループでなければならない。
【００２５】
患者が「製品Ａ」から「製品Ｂ」に変更する状況において、「製品Ａ」が使い尽くされる前に「製品Ｂ」の処方を調合する場合には、その患者は今月中の最初には、「併剤治療の追加」グループに入れ、次いで、その翌月（製品Ａが再調合されない場合）に「変更」グループのうちの１つに入れなければならない。
【００２６】
「併剤治療の変更」グループは、１つ以上の製品から併剤治療の異なる組合せに変更する患者を含む。２つ以上の製品は今月中に患者に調剤され、最初の前の処方（前の1２ヵ月以内）及びこの最初の前の製品との他のいかなる併剤治療も、今月の各製品の前に少なくとも１日の間隔を残す。しかしながら、前の製品間の間隔は、現在の処方計画の一部ではない全ての製品に対してのみ必要とされる。同じ製品が前と現在との双方にある場合、それらの製品が今月中に重なるか否かは重要ではない。患者は１つ以上の製品から２つ以上の製品の併剤治療に変更することができる。
【００２７】
あるいは、１つ以上の製品が今月中に患者のために調剤され、最初の前の処方（前の１２ヵ月以内）及びこの最初の前の製品と他の併剤治療が、今月の製品と少なくとも１日重なり、少なくとも１つの製品が今月の研究製品の前に少なくとも１日の間隔を残す場合に、その患者は「併剤治療の変更」グループに分類され得る。
【００２８】
また、あるいは、今月調剤される市場製品がなく、少なくとも２つの製品が１２ヵ月以内に調剤された最初の前の処方との併用であり、これらの前の併剤治療製品のうちの少なくとも２つは少なくとも７日間だけ今月と重なり、少なくとも１つの製品は重ならない場合には、その患者は「併剤治療の変更」グループに分類することができる。前の処方計画の少なくとも１つの製品は、現在の治療処方計画とは異なるものとしなければならない。
【００２９】
前記カテゴリーによって、調査員は、規定された市場の一環である全ての患者をほぼ完全に分類することができる。しかしながら、患者が通常一緒に摂取されることはないであろう２つ以上の処方薬との併用を防止するために、一連の「併用規制」が本方法に組み込まれる。
【００３０】
今月の患者の治療を決定するときに、規定の併用規制に違反する最も古い処方薬は、その患者の処方計画から除外されるべきである（すなわち、これらの処方薬のうちで一番最近のものだけ保持すべきである）。これは、患者の現在の治療と同様に彼らの前の治療の両方に対して生じ、その患者を他の製品分類へ潜在的に移すことになるが、特定の処方薬を除外した後に、患者のグループ化に変更がないこともあり得る。これらの規制の例を以下に示す。
【００３１】
スタチン（高いコレステロールを治療するために用いられる調合薬の種類）は、他のスタチンと併用して使用することができない。上記の規則に従って２つが併用すると決定される場合には、一番最近の処方薬を保持し、前の処方薬は除外すべきである。医師が意図的に多数のスタチンを処方することはまれなので、同日に調合される２つ以上の異なるスタチンの処方薬をもつ患者は分析から除外すべきである
【００３２】
フィブラート（通常スタチンに関連して高いコレステロールを治療するために補助治療として用いられる）は、他のフィブラートと併用して使用することができない。上記の規則に従って２つが併用すると決定された場合には、一番最近の処方薬を保持し、前の処方薬は除外すべきである。同日に調合される２つ以上の異なるフィブラートに対する処方薬をもつ患者は、分析から除外すべきである。
【００３３】
胆汁酸封鎖剤（通常、スタチンに関連して高いコレステロールを治療するために、フィブラートの代わりに使われる）は、他の胆汁酸封鎖剤と併用して使うことができない。上記の規則に従って２つを併用すると決定された場合には、一番最近の処方薬を保持し、前の処方薬は除外すべきである。同日に調合される２つ以上の異なる胆汁酸封鎖剤の処方薬をもつ患者は、分析から除外すべきである。
【００３４】
強度によって発疹ができる製品（例えば、リピトール、プラバコール及びゾコール）は、同じ製品の異なる強度の中で併用することができない。上記の規則に従って２つの強度の同じ製品が、併用すると決定される場合には、一番最近の処方薬は保持し、前の処方薬は除外すべきである。同日に調合された２つ以上の、異なる強度の処方薬をもつ患者は、ビジネス分析源から除外すべきである。
【００３５】
バイトリンは、他のスタチンとの処方計画に併用することはできない。バイトリンは、ゼチーア（Zetia）との処方計画に併用することもできない。処方計画がバイトリン、ゼチーア及びスタチンを含む場合には、ゼチーア、スタチン及びバイトリンのうち一番最近のものを見つける。一番最近のものがバイトリンである場合には、ゼチーア及びスタチンは除外すべきである。一番最近のものがゼチーアである場合には、バイトリンのみ除外すべきである。一番最近のものがスタチンである場合には、バイトリンのみ除外すべきである。処方計画が、ゼチーアかスタチンのどちらかとバイトリンとを含む場合には、バイトリン又は他の薬のうち一番最近のものを保持すべきである（結果として処方計画はバイトリンかゼチーアまたはスタチンを含むことになる）。
【００３６】
一旦患者をこのような各カテゴリーに分類したら、「単剤治療の継続」及び「併剤治療の継続」グループは考慮しないで、残りのグループを分析に用いる。
【００３７】
ステップ２３０では、市場内でなされる固有製品の選択決定の総数を決定する。これは、通常、市場内にいる患者に対して処方する医師によってなされる調合薬の選択決定の総数である。市場レベルで、固有処方の決定は、「新たな治療の開始」及び「追加の治療」によって定義される。図３を参照して、非常に好適な処置について更に述べる。
【００３８】
ステップ３１０では、市場に入った顧客数（処方薬の数として決定される）を決定する。これは、通常、初めて治療を開始した患者である「新たな治療の開始」者の数であり、「市場に対する単剤治療の新規」及び「市場に対する併剤治療の新規」グループから成る。
【００３９】
ステップ３２０では、すでに市場にいるが、購入製品に他の製品を追加した顧客数を決定する。これは、通常、現在すでに治療中で新たな治療が追加された患者である「追加の治療」者の数であり、「併剤治療の追加」グループから成る。これらは、併合されるあらゆるブランドの総計に基づいて算出される。
【００４０】
ステップ３３０では、市場内でなされる固有製品の選択決定の総数を、ステップ３１０及び３２０で決定した数を一緒に加算することによって決定する。
【００４１】
図２に戻って、ステップ２４０では、市場内で製品ごとになされる固有製品の選択決定の回数を決定する。これは、通常、市場の各ブランドに対する固有の処方の決定数である。ブランドレベルでは、「新たな治療の開始」、「追加の治療」及び「正味の変更治療」が、固有処方の決定を定義する。図４を参照して、非常に好適な処置についてさらに述べる。
【００４２】
ステップ４１０では、市場に入って製品を選択した顧客数を決定する。これは、通常、「新たな治療の開始」者の数である。
【００４３】
ステップ４２０では、すでに市場にいるが、購入品に製品を加えた顧客数を決定する。これは、通常、「追加の治療」者の数である。
【００４４】
ステップ４３０では、市場で異なる製品を購入することを止めて、代替品としての製品を購入し始めた顧客数を決定する。これは、通常、「変更」者の数であって、「単剤治療の変更」及び「併剤治療の変更」グループを分析することによって決定される。これは、通常、「正味の変更治療」グループの患者数である。
【００４５】
最後に、ステップ４４０では、市場内で製品ごとになされる固有製品の選択決定の回数を決定するために、ステップ４１０、ステップ４２０及びステップ４３０で決定した顧客数を合計する。
【００４６】
図５を参照して、すでに市場内にある薬に対する「正味の変更治療」を決定するための代わりの方法について説明する。
【００４７】
ステップ５１０では、市場に入っていて、製品を選択した顧客の数を決定する。これは、通常、「新たな治療の開始」グループの患者数である。
【００４８】
ステップ５２０では、すでに市場に入っているが、彼らの購入品に製品を加えた顧客の数を決定する。これは、通常、「追加の治療」グループの患者数である。
【００４９】
ステップ５３０では、製品を購入することを止めて、代替品としての他の製品を購入し始めた顧客の数を決定する。これは、通常「これまでの薬からの変更」者の数であって、「単剤治療の変更」及び「併剤治療の変更」グループを分析することによって決定される。
【００５０】
ステップ５４０では、市場で異なる製品を購入することを止めて、代替品としての製品を購入し始めた顧客の数を決定する。これは、通常「他の薬への変更」者の数であって、これは「単剤治療の変更」及び「併剤治療に変更」グループをさらに分析することによって決定される。
【００５１】
ステップ５５０では、ステップ５４０で決定される顧客の数からステップ５３０で決定される顧客の数を差し引くことによって、製品の変更の正味の数を決定する。これは、通常、「正味の変更治療」グループの患者数である。
【００５２】
ステップ５６０では、市場内で製品ごとになされる固有製品の選択決定の回数を決定するために、ステップ５１０、５２０及び５５０で求めた顧客の数を加算する。
【００５３】
図２に戻って、ステップ２５０では、市場内でなされる固有製品の選択決定の総数との関連で、市場内で製品ごとになされる固有製品の選択決定の割合を算出する。これは、通常、市場内で医師によってなされる固有処方薬の総決定の割合として、ブランドを処方するために医師によってなされる固有処方の決定の回数である。この割合は、製品の動的キャプチャーレート（DRx）である。
【００５４】
上述したことは、単に本発明の原理を例示したにすぎない。記載された実施例に対するさまざまな修正や変更は、本願明細書の教示を考慮して当業者にとって明らかである。このように、当業者が、ここに明確に記載されていないが、本発明の原理を実施して、このように本発明の精神及び範囲内で、多数の技術を工夫することが可能であると認められる。
【図１】
2010521023.tif 000003
【図２】
2010521023.tif 000004
【図３】
2010521023.tif 000005
【図４】
2010521023.tif 000006
【図５】
2010521023.tif 000007